(57)【特許請求の範囲】
【請求項１】
底板部と側板部を有する断面ほぼコ字状の器具本体と、底部折曲片及び側部折曲片からなる断面ほぼＬ字状の取付部を有し、前記取付部の先端にソケットが固着されたソケット取付具とを備え、前記取付部の前記底部折曲片が前記器具本体の前記底板部に重なり、前記取付部の前記側部折曲片が前記器具本体の前記側板部に重なるように、前記ソケット取付具が前記器具本体に取り付けられた照明器具であって、
前記器具本体の前記底板部に第１の取付孔が穿設され、前記側板部に第２の取付孔が穿設され、
前記ソケット取付具の前記底部折曲片に第１の取付片が設けられ、前記側部折曲片に第２の取付片が設けられ、
前記底部折曲片の前記第１の取付片は前記底板部の前記第１の取付片に挿入され、前記側部折曲片の前記第２の取付片は前記側板部の前記第２の取付孔に挿入され、
前記第２の取付孔に挿入された前記第２の取付片の前記第２の取付孔と対向する端面には、前記第２の取付孔の周辺部位との間に一定のクリアランスを形成する切欠き部が形成され、前記ソケット取付具は、前記一定のクリアランスの範囲内で前記器具本体に対して可動であることを特徴とする照明器具。
【請求項２】
前記器具本体を覆い、かつ端部にソケット挿入孔を有する断面ほぼＶ形の反射板を備え、前記ソケット取付具に固着された前記ソケットが、前記反射板の前記ソケット挿入孔から突出していることを特徴とする請求項１記載の照明器具。
【請求項３】
前記第１の取付孔を細長状のスリットとし、前記第２の取付孔を角孔とすると共に、前記第１の取付片を前記ソケット取付具の前記底部折曲片から段差をもって突設した舌片とし、前記第２の取付片を前記切欠き部を有する爪片としたことを特徴とする請求項１又は２記載の照明器具。
【請求項４】
前記第２の取付片は、前記ソケット取付具の前記底部折曲片及び前記側部折曲片に対してほぼ直角をなして設けられていることを特徴とする請求項１乃至請求項３のいずれかに記載の照明器具。
【請求項５】
前記切欠き部は、ほぼＶ字状の凹溝であることを特徴とする請求項１乃至請求項４のいずれかに記載の照明器具。
【発明の詳細な説明】
【０００１】
【発明の属する技術分野】
本発明は照明器具に関し、詳しくは、直管形蛍光ランプ用の天井直付型照明器具において、器具本体に対するソケット取付具の取り付け構造に関する。
【０００２】
【従来の技術】
直管形蛍光ランプ２灯用の天井直付型照明器具は、例えば、図７に示すように天井に取り付けられた断面ほぼコ字状の器具本体１と、その器具本体１の両端にそれぞれ配設されてソケット２が固着された２対のソケット取付具３と、その器具本体１を覆うように器具本体１に取り付けられた断面ほぼＶ形の反射板４とを備えている。
【０００３】
１つのソケット取付具３の器具本体１への取り付け構造は、例えば、図８に示すようなものがある。
【０００４】
同図に示すように器具本体１は、底板部５と側板部６を有する断面ほぼコ字状を有し、また、ソケット取付具３は、取付部７の先端から屈曲して外側に延びる延設部８にソケット２が固着されている。前述した器具本体１の底板部５と側板部６との隅部には２つの取付孔９が並んで穿設され、一方、ソケット取付具３の取付部７の一辺に２つの取付片１０が突設されると共に取付部７に対してほぼ９０°に折り曲げられた２つの屈曲片１１が突設され、更に、前述の取付部７の一辺と隣接する直交辺に端片１２が突設されている。
【０００５】
このソケット取付具３を器具本体１に取り付けるに際しては、図９及び図１０に示すようにソケット取付具３の取付部７に設けられた取付片１０を器具本体１の取付孔９に挿入する。これにより、取付部７に設けられた屈曲片１１が器具本体１の底板部５の表面に面接触した状態となる。
【０００６】
この取付片１０を挿入した上で、図１１及び図１２に示すように前述の取付片１０を内側にほぼ９０°折り曲げる。これにより、器具本体１の底板部５がその一方の面側に位置する取付片１０と他方の面側に位置する屈曲片１１とに若干の隙間を介して挟み込まれた状態となる。
【０００７】
更に、図１３に示すようにソケット取付具３の取付部７から延びる端片１２をかしめにより外側にほぼ１８０°折り曲げて取付部７との間で器具本体１の側板部６を挟み込む。この状態で、ソケット取付具３は、一定の範囲の可動状態で器具本体１に取り付けられる。
【０００８】
このようにソケット取付具３を一定の範囲の可動状態で器具本体１に取り付けるのは以下の理由に基づく。即ち、図７に示すように照明器具ではソケット２を断面Ｖ形の反射板４にほぼ直角に起立させて配置することから、器具本体１に対してはソケット２が斜めに配置されることになる。
【０００９】
一方、ソケット取付具３が装着された器具本体１に対して反射板４を取り付ける際には、斜め配置されたソケット２に対して反射板４を下方から鉛直上方に向けてまっすぐ移動させ、その反射板４に設けられたソケット挿入孔１３にソケット２を挿通させた上で反射板４を器具本体１に固定するようにしている。
【００１０】
その結果、ソケット２が固定状態にある場合では、反射板４に設けられたソケット挿入孔１３をソケット２の幅寸法より大きくしなければならず、ソケット２が反射板４から突出する部位でソケット２と反射板４との間に隙間ができて外観が悪くなる。
【００１１】
そこで、前述したようにソケット取付具３を一定の範囲の可動状態で器具本体１に取り付けておけば、外側に張り出すように斜め配置されたソケット２を一定の範囲で内側に可動させることができ、その分、ソケット２が鉛直方向に沿わせることができる。
【００１２】
これにより、反射板４を器具本体１に取り付ける際に必要とされる反射板４の孔１３を前述の場合より小さくすることができるので、ソケット２の幅寸法に近づけることができ、ソケット２が反射板４から突出する部位でソケット２と反射板４との間の隙間をできるだけ小さくすることができて外観も良好となる。
【００１３】
【発明が解決しようとする課題】
ところで、前述したようにソケット取付具３を器具本体１に取り付ける場合、ソケット取付具３の取付部７に設けられた取付片１０をほぼ９０°折り曲げ成形したり、端片１２をほぼ１８０°折り曲げてかしめなければならず、その際に専用の治具や設備が必要となり、組み立て工数がかかったり、設備投資が必要となる等の問題があった。
【００１４】
そこで、本発明は前述の問題点に鑑みて提案されたもので、その目的とするところは、組み立て工数がかからず、設備投資なしでソケット取付具を器具本体に簡単かつ迅速に取り付け得る照明器具を提供することにある。
【００１５】
【課題を解決するための手段】
前述した目的を達成するための技術的手段として、本発明は、底板部と側板部を有する断面ほぼコ字状の器具本体と、２つの折曲片からなる断面ほぼＬ字状の取付部を有し、取付部の先端にソケットが固着されたソケット取付具とを備え、ソケット取付具を、取付部の各折曲片を底板部及び側板部にそれぞれ装着することにより器具本体に取り付けた照明器具であって、器具本体の底板部に第１の取付孔を穿設すると共に側板部に第２の取付孔を穿設し、ソケット取付具の各折曲片に第１と第２の取付片をそれぞれ設け、第１の取付片を第１の取付孔に挿入し、第２の取付片を側板部を外側へ変形させながら第２の取付孔に挿入して係止することにより、ソケット取付具を一定の範囲の可動状態で器具本体に取り付けたことを特徴とする。
【００１６】
また、本発明は、底板部と側板部を有する断面ほぼコ字状の器具本体と、２つの折曲片からなる断面ほぼＬ字状の取付部を有し、前記取付部の先端にソケットが固着されたソケット取付具と、前記器具本体を覆い、かつ端部にソケット挿入孔を有する断面ほぼＶ形の反射板とを備え、前記ソケット取付具を、取付部の各折曲片を底板部及び側板部にそれぞれ装着した状態において、反射板を器具本体に取り付ける際にソケット取付具のソケットを反射板のソケット挿入孔から突出させる照明器具であって、前記器具本体の底板部に第１の取付孔を穿設すると共に側板部に第２の取付孔を穿設し、前記ソケット取付具の各折曲片に第１と第２の取付片をそれぞれ設け、第１の取付片を第１の取付孔に挿入し、第２の取付片を側板部を外側へ変形させながら第２の取付孔に挿入して係止することにより、ソケット取付具を一定の範囲の可動状態で器具本体に取り付けたことを特徴とする。
【００１７】
尚、第１の取付孔を細長状のスリットとし、第２の取付孔を角孔とすると共に、第１の取付片をソケット取付具の折曲片から段差をもって突設した舌片とし、第２の取付片を角孔に対して一定のクリアランスをもたせて係止される爪片とすることが望ましい。また、爪片は、ソケット取付具の各折曲片とほぼ直角をなして設けられ、かつ角孔と対向する端面に切欠き部が形成され、その切欠き部の突端が角孔の周縁部位に当たることにより、一定のクリアランスによる一定の範囲の可動状態を設定することが可能である。更に、切欠き部は、ほぼＶ字状の凹溝とすることが望ましい。
【００１８】
【発明の実施の形態】
本発明に係る照明器具の実施形態を以下に詳述する。尚、照明器具は、図６に示すように直管形蛍光ランプ２灯用で器具本体２１の両端に、後述のソケット取付具２４により２つのソケット２がそれぞれ配設されたものであるが、以下の説明では１つのソケット取付具２４の器具本体２１への取り付け構造で説明する。
【００１９】
この実施形態において、図１に示すように器具本体２１は、底板部２２と側板部２３を有する断面ほぼコ字状を有し、また、ソケット取付具２４は、２つの折曲片２５，２６からなる断面ほぼＬ字状の取付部２７を有し、その取付部２７の先端から屈曲して外側に延びる延設部２８にソケット２が固着されている。
【００２０】
前述した器具本体２１の底板部２２に第１の取付孔である、例えば器具本体２１の長手方向に細長いスリット２９を所定箇所に穿設すると共に、側板部２３に第２の取付孔である角孔３０（図では２つ）を所定箇所に所定の間隔をあけて穿設する。
【００２１】
一方、ソケット取付具２４の一方の折曲片２５（以下、底部折曲片と称す）に第１の取付片である舌片３１を段差３２をもって突設し、また、前述した底部折曲片２５からほぼ９０°折り曲げられて起立する他方の折曲片２６（以下、側部折曲片と称す）に第２の取付片である爪片３３を突設する。この爪片３３は、側部折曲片２６とほぼ直角をなした状態で外側に突出し、前述の底部折曲片２５と直交する位置関係にある。また、爪片３３の角孔３０と対向する反射板側端面にはＶ字状の切欠き部３４が形成されている。尚、この実施形態では、２つの角孔３０及び爪片３３を器具本体２１の長手方向に沿って所定の間隔でもって設けているが、爪片の数及び位置については任意である。
【００２２】
このソケット取付具２４を器具本体２１に取り付けるに際しては、まず、図２に示すように器具本体２１に対してソケット取付具２４を斜め状態にしてその取付部２７の底部折曲片２５から延びる舌片３１を器具本体２１のスリット２９に、前述の底部折曲片２５と舌片３１間に位置する段差３２を有する箇所まで挿入する。
【００２３】
そして、前述の舌片３１を器具本体２１に引掛けた状態でソケット取付具２４を移動させてその側部折曲片２６を器具本体２１の側板部２３に近づける。これにより、図３に示すように側部折曲片２６から突出する爪片３３が側板部２３に当接し、側部折曲片２６を側板部２３に押し付けることにより爪片３３でもって側板部２３を外側へ変形させる。この時、側板部２３がある程度外側へ変形すると、図４及び図５に示すように側板部２３に当接していた爪片３３が外れて角孔３０に挿入され、側板部２３は初期姿勢に復帰することにより、ソケット取付具２４の器具本体２１への取り付けが完了する。
【００２４】
このソケット取付具２４の取り付け完了状態では、爪片３３の角孔３０と対向する端面にほぼＶ字状の切欠き部３４を形成することにより一定のクリアランスａ（図４参照）をもたせることができ、これにより、ソケット取付具２４を一定の範囲の可動状態で器具本体２１に取り付けることができ、即ち、爪片３３が角孔３０から抜け出ようとしても、その爪片３３の切欠き部３４の突端部分が側板部２３の角孔３０の周縁部位に当たることにより、この爪片３３が角孔３０から抜け出ることはない。尚、前述の切欠き部３４はほぼＶ字状の凹溝であるが、これ以外の形状でも可能である。
【００２５】
その結果、前述したように断面ほぼＶ形の反射板４を器具本体２１に取り付ける際、外側に張り出すように斜め配置されたソケット２（図６参照）を一定の範囲で内側に可動させることができ、その分、ソケット２を鉛直方向に沿わせるように移動させた上で反射板４を鉛直方向から器具本体２１に取り付けることができる。必要とされる反射板４のソケット挿入孔１３（図７参照）を小さくしてソケット２の幅寸法に近づけることができ、ソケット２が反射板４から突出する部位でソケット２と反射板４との間の隙間をできるだけ小さくすることができて外観も良好となる。
【００２６】
【発明の効果】
本発明によれば、ソケット取付具を器具本体に取り付ける場合、折り曲げ加工やかしめ加工を行う必要がなく、専用の治具や設備が不要となるので、組み立て工数がかからず、設備投資なしでソケット取付具を器具本体に簡単かつ迅速に取り付けることができ、その実用的価値は非常に大きい。
【図面の簡単な説明】
【図１】本発明に係る照明器具の実施形態を示す要部拡大斜視図
【図２】ソケット取付具の器具本体への取付要領を説明するためのもので、舌片をスリットに挿入した状態を示す断面図
【図３】ソケット取付具の器具本体への取付要領を説明するためのもので、爪片により器具本体の側板部を外側へ変形させた状態を示す断面図
【図４】ソケット取付具の器具本体への取付要領を説明するためのもので、ソケット取付具を器具本体に取付け完了した状態を示す断面図
【図５】図４のＡ−Ａ線に沿う断面図
【図６】器具本体にソケット取付具を取り付けた状態を示す全体概略図
【図７】器具本体にソケット取付具及び反射板を取り付けた全体概略構造を示す断面図
【図８】従来の照明器具におけるソケット取付具の器具本体への取付構造を示す要部拡大斜視図
【図９】ソケット取付具の器具本体への取付要領を説明するためのもので、ソケット取付具の取付片を挿入した状態を示す正面図
【図１０】図９のＢ−Ｂ線に沿う断面図
【図１１】ソケット取付具の器具本体への取付要領を説明するためのもので、ソケット取付具の取付片を折り曲げ、端片をかしめた状態を示す正面図
【図１２】図１１のＣ−Ｃ線に沿う断面図
【図１３】図１１のＤ−Ｄ線に沿う断面図
【符号の説明】
２１  器具本体
２２  底板部
２３  側板部
２４  ソケット取付具
２５  折曲片
２６  折曲片
２７  取付部
２９  第１の取付孔（スリット）
３０  第２の取付孔（角孔）
３１  第１の取付片（舌片）
３３  第２の取付片（爪片）
３４  切欠き部
ａ  クリアランス
【図１】
0004125410.tif 000002
【図２】
0004125410.tif 000003
【図３】
0004125410.tif 000004
【図４】
0004125410.tif 000005
【図５】
0004125410.tif 000006
【図６】
0004125410.tif 000007
【図７】
0004125410.tif 000008
【図８】
0004125410.tif 000009
【図９】
0004125410.tif 000010
【図１０】
0004125410.tif 000011
【図１１】
0004125410.tif 000012
【図１２】
0004125410.tif 000013
【図１３】
0004125410.tif 000014